(57)【要約】【課題】共通のアンテナを用いて、２つの通信方式を切り替えて通信を行う無線通信端末を提供する。【解決手段】第１の通信方式と第２の通信方式とを共通のアンテナを用いて基地局と無線通信を行うことが可能な無線通信端末において、各々の通信方式の通信品質を測定する通信品質測定部と、前記各々の通信品質に基づいて、第１の通信方式の待受けタイミングを設定するタイミング設定部と、を備えた。【選択図】  図１
2006157546.tif 000002
【特許請求の範囲】
【請求項１】
第１の通信方式と第２の通信方式とを共通のアンテナを用いて基地局と無線通信を行うことが可能な無線通信端末において、
各々の通信方式の通信品質を測定する通信品質測定部と、
前記各々の通信品質に基づいて、前記第１の通信方式の待受けタイミングを設定するタイミング設定部と、を備えたことを特徴とする無線通信端末。
【請求項２】
前記計測部は、単位時間の各々の通信方式におけるアイドルハンドオフの回数を計測し、
前記タイミング設定部は、前記各々の通信方式におけるアイドルハンドオフの回数に基づいて前記第１通信方式の待受タイミングを設定するか否かを判定することを特徴とする請求項１に記載の無線通信端末。
【請求項３】
前記タイミング設定部は、前記第１の通信方式の通信品質が良く、かつ、前記第２の通信方式の通信品質が悪い場合は、前記第２の通信方式の待受タイミングから前記第１の通信方式の待受タイミングを離すように設定することを特徴とする請求項１に記載の無線通信端末。
【請求項４】
前記タイミング設定部は、前記第１の通信方式の通信品質が悪く、かつ、前記第２の通信方式の通信品質が良い場合は、前記第２の通信方式の待受タイミングに前記第１の通信方式の待受タイミングを近づけるように設定することを特徴とする請求項１に記載の無線通信端末。
【請求項５】
前記タイミング設定部は、前記第１の通信方式の通信品質が良く、前記第２の通信方式の通信品質が悪い場合は、前記第１の通信方式における基準時間からのオフセットを短く設定することを特徴とする請求項１に記載の無線通信端末。
【請求項６】
前記タイミング設定部は、前記第１の通信方式の通信品質が悪く、前記第２の通信方式の通信品質が良い場合は、前記第１の通信方式における基準時間からのオフセットを長く設定することを特徴とする請求項１に記載の無線通信端末。
【請求項７】
前記第１の通信方式はＣＤＭＡ２０００  １ｘＥＶＤＯ方式であり、前記第２の通信方式はＣＤＭＡ２０００  １ｘ方式であることを特徴とする請求項１から６の何れか一つに記載の無線通信端末。
【請求項８】
第１の通信方式と第２の通信方式とを共通のアンテナを用いて基地局と無線通信を行うことが可能な無線通信端末の待受けタイミングを設定する待受けタイミング設定プログラムであって、
各々の通信方式の通信品質を測定する第１のステップと、
前記各々の通信品質に基づいて、前記第１の通信方式の待受けタイミングを設定する第２のステップと、を実行することを特徴とするプログラム。
【請求項９】
前記第１のステップは、単位時間の各々の通信方式におけるアイドルハンドオフの回数を計測し、
前記第２のステップは、前記各々の通信方式におけるアイドルハンドオフの回数に基づいて前記第１通信方式の待受タイミングを設定するか否かを判定することを特徴とする請求項８に記載のプログラム。
【請求項１０】
前記第３のステップは、前記第１の通信方式の通信品質が良く、かつ、前記第２の通信方式の通信品質が悪い場合は、前記第２の通信方式の待受タイミングから前記第１の通信方式の待受タイミングを離すように設定することを特徴とする請求項８に記載のプログラム。
【請求項１１】
前記第３のステップは、前記第１の通信方式の通信品質が悪く、かつ、前記第２の通信方式の通信品質が良い場合は、前記第２の通信方式の待受タイミングに前記第１の通信方式の待受タイミングを近づけるように設定することを特徴とする請求項８に記載のプログラム。
【請求項１２】
前記第２のステップは、前記第１の通信方式の通信品質が良く、前記第２の通信方式の通信品質が悪い場合は、前記第１の通信方式における基準時間からのオフセットを短く設定することを特徴とする請求項８に記載のプログラム。
【請求項１３】
前記第２のステップは、前記第１の通信方式の通信品質が悪く、前記第２の通信方式の通信品質が良い場合は、前記第１の通信方式における基準時間からのオフセットを長く設定することを特徴とする請求項８に記載のプログラム。
【請求項１４】
前記第１の通信方式はＣＤＭＡ２０００  １ｘＥＶＤＯ方式であり、前記第２の通信方式はＣＤＭＡ２０００  １ｘ方式であることを特徴とする請求項８から１３の何れか一つに記載のプログラム。
【発明の詳細な説明】
【技術分野】
【０００１】
本発明は、共通のアンテナを用いて、２つの通信方式を切り替えて通信を行う無線通信端末及びプログラムに関する。
【背景技術】
【０００２】
２つの通信方式を切り替えて基地局と通信を行うことのできるデュアル方式の無線通信端末が知られている。デュアル方式の無線通信端末において、共通のアンテナを用いて２つの通信方式を切り替えることにより動作する無線通信端末をハイブリッド方式と定義し、以下に説明する。
【０００３】
このようなハイブリッド方式の無線通信端末には、特に音声通信が主体のｃｄｍａ２０００  １ｘシステムと、データ通信専用の１ｘＥＶＤＯシステムとのハイブリッド方式の無線通信端末がある。
【０００４】
ハイブリッド方式の無線通信端末では、待ち受け状態の時（間欠受信状態時）は、ｃｄｍａ２０００  １ｘシステム及び１ｘＥＶＤＯシステムそれぞれ、周期的に基地局から送信されるメッセージを受信する。無線通信端末はこのメッセージによって自端末に着信があるか否かを判定したり、ハンドオフを行うか否かを判定する。このメッセージの受信動作はｃｄｍａ２０００  １ｘシステム及び１ｘＥＶＤＯシステムが交互に共通アンテナを占有して、お互いの間欠受信タイミングをずらして行われる。なお、無線通信端末は、アンテナ部を常に起動しておくと消費電力が大きいため、このメッセージ受信のタイミングのみアンテナ部を起動し、それ以外は停止している。
【非特許文献１】3GPP2、”3GPP2 C.S0024 Version 4.0 cdma2000 High Rate Packet Data Air Interface Specification”、［online］、２００２年１０月２５日、インターネット＜URL:http://www.3gpp2.org/Public_html/specs/C.S0024-0_v4.0.pdf＞
【発明の開示】
【発明が解決しようとする課題】
【０００５】
ところで、無線通信端末はメッセージの受信とともに各システムのパイロット信号の強度を測定している。そして、無線通信端末はこの各システムのパイロット信号の強度に基づいてアイドルハンドオフと呼ばれる処理を行うか否かを判定している。そして、無線通信端末はアイドルハンドオフを行うと判定すると、基地局と無線通信端末は通信パラメータの再設定処理を行う。
【０００６】
このアイドルハンドオフの処理が行われる際、基地局と無線通信端末は通信設定の変更を行うので、このアイドルハンドオフを行う無線通信端末のシステムの無線部（ＲＦ部）は長時間共通アンテナを占有する。そのため、アイドルハンドオフが発生すると、アンテナ部は一方のシステム（ｃｄｍａ２０００  １ｘシステム又は１ｘＥＶＤＯシステム）の無線部に占有されるため、他方のシステムは基地局が送信するメッセージを受信することができなくなる。
【０００７】
例えば、１ｘＥＶＤＯシステムのアイドルハンドオフが連続して頻繁に発生するような場合、アンテナ部は１ｘＥＶＤＯシステムの無線部に占有されるため、その間ｃｄｍａ２０００  １ｘシステムの無線部はアンテナ部を使用できない。よって、ｃｄｍａ２０００  １ｘシステムは基地局が送信するメッセージを受信することができなくなる。基地局が送信するメッセージを所定回数受信することができない場合、ｃｄｍａ２０００  １ｘシステムは圏外と判定してしまう。ｃｄｍａ２０００  １ｘシステムが圏外であると判定してしまうと、ｃｄｍａ２０００  １ｘシステムは着信の待ち受け状態ではなくなる。さらに、ｃｄｍａ２０００  １ｘシステムが待ち受け状態である場合に限り、１ｘＥＶＤＯシステムも待ち受け状態に移行することができる。よって、１ｘＥＶＤＯシステムが上記アイドルハンドオフ処理を終えて待ち受け状態に移行しようとしても、ｃｄｍａ２０００  １ｘシステムが待ち受け状態でないため１ｘＥＶＤＯシステムも待ち受け状態ではなくなる。従って、いずれのシステムも待ち受け状態ではなくなるという問題が生じてしまう。
【０００８】
本発明は、上記問題に鑑みてなされたものであり、基地局が送信するメシセージの受信タイミングを調節する無線通信端末及びそのプログラムを提供することを目的とする。
【課題を解決するための手段】
【０００９】
第１の発明は、第１の通信方式と第２の通信方式とを共通のアンテナを用いて基地局と無線通信を行うことが可能な無線通信端末において、各々の通信方式の通信品質を測定する通信品質測定部と、前記各々の通信品質に基づいて、前記第１の通信方式の待受けタイミングを設定するタイミング設定部と、を備えたことを特徴とする。
【００１０】
第２の発明は、第１の発明において、前記計測部は、単位時間の各々の通信方式におけるアイドルハンドオフの回数を計測し、前記タイミング設定部は、前記各々の通信方式におけるアイドルハンドオフの回数に基づいて前記第１通信方式の待受タイミングを設定するか否かを判定することを特徴とする。
【００１１】
第３の発明は、第１の発明において、前記タイミング設定部は、前記第１の通信方式の通信品質が良く、かつ、前記第２の通信方式の通信品質が悪い場合は、前記第２の通信方式の待受タイミングから前記第１の通信方式の待受タイミングを離すように設定することを特徴とする。
【００１２】
第４の発明は、第１の発明において、前記タイミング設定部は、前記第１の通信方式の通信品質が悪く、かつ、前記第２の通信方式の通信品質が良い場合は、前記第２の通信方式の待受タイミングに前記第１の通信方式の待受タイミングを近づけるように設定することを特徴とする。
【００１３】
第５の発明は、第１の発明において、前記タイミング設定部は、前記第１の通信方式の通信品質が良く、前記第２の通信方式の通信品質が悪い場合は、前記第１の通信方式における基準時間からのオフセットを短く設定することを特徴とする。
【００１４】
第６の発明は、第１の発明において、前記タイミング設定部は、前記第１の通信方式の通信品質が悪く、前記第２の通信方式の通信品質が良い場合は、前記第１の通信方式における基準時間からのオフセットを長く設定することを特徴とする。
【００１５】
第７の発明は、第１から６の発明において、前記第１の通信方式はＣＤＭＡ２０００  １ｘＥＶＤＯ方式であり、前記第２の通信方式はＣＤＭＡ２０００  １ｘ方式であることを特徴とする。
【００１６】
第８の発明は、第１の通信方式と第２の通信方式とを共通のアンテナを用いて基地局と無線通信を行うことが可能な無線通信端末の待受けタイミングを設定する待受けタイミング設定プログラムであって、各々の通信方式の通信品質を測定する第１のステップと、前記各々の通信品質に基づいて、前記第１の通信方式の待受けタイミングを設定する第２のステップと、を実行することを特徴とする待受けタイミング設定プログラム。
【００１７】
第９の発明は、第８の発明において、前記第１のステップは、単位時間の各々の通信方式におけるアイドルハンドオフの回数を計測し、前記第２のステップは、前記各々の通信方式におけるアイドルハンドオフの回数に基づいて前記第１通信方式の待受タイミングを設定するか否かを判定することを特徴とする。
【００１８】
第１０の発明は、第８の発明において、前記第３のステップは、前記第１の通信方式の通信品質が良く、かつ、前記第２の通信方式の通信品質が悪い場合は、前記第２の通信方式の待受タイミングから前記第１の通信方式の待受タイミングを離すように設定することを特徴とする。
【００１９】
第１１の発明は、第８の発明において、前記第３のステップは、前記第１の通信方式の通信品質が悪く、かつ、前記第２の通信方式の通信品質が良い場合は、前記第２の通信方式の待受タイミングに前記第１の通信方式の待受タイミングを近づけるように設定することを特徴とする。
【００２０】
第１２の発明は、第８の発明において、前記第２のステップは、前記第１の通信方式の通信品質が良く、前記第２の通信方式の通信品質が悪い場合は、前記第１の通信方式における基準時間からのオフセットを短く設定することを特徴とする。
【００２１】
第１３の発明は、第８の発明において、前記第２のステップは、前記第１の通信方式の通信品質が悪く、前記第２の通信方式の通信品質が良い場合は、前記第１の通信方式における基準時間からのオフセットを長く設定することを特徴とする。
【００２２】
第１４の発明は、第８から１３の発明において、前記第１の通信方式はＣＤＭＡ２０００  １ｘＥＶＤＯ方式であり、前記第２の通信方式はＣＤＭＡ２０００  １ｘ方式であることを特徴とする。
【発明の効果】
【００２３】
本発明を適用すれば、一方のシステムの無線部がアイドルハンドオフのためにアンテナ部を占有しても他方のシステムのメッセージ受信に影響を与えないように、適応的に受信タイミングを変更制御できるので、着信率が向上するとともにデータ通信のスループットを高めることができる。
【発明を実施するための最良の形態】
【００２４】
以下に、本発明の実施の形態を図面を参照して説明する。
【００２５】
図１は、本発明の実施の形態の無線通信システムの構成を示すブロック図である。
【００２６】
本実施の形態の無線通信端末（携帯電話端末）２００は、共通のアンテナ１０を用いてｃｄｍａ２０００  １ｘの通信方式（以下、「ｌｘシステム」と呼ぶ）と、１ｘＥＶＤＯの通信方式（以下、「ＤＯシステム」と呼ぶ）とを切り替えて、基地局１００Ａ又は基地局１００Ｂと通信をすることのできる無線通信端末である。
【００２７】
基地局１００Ａは、無線通信端末２００とＤＯシステムの通信を行い、基地局１００Ｂは、無線通信端末２００と１ｘシステムの通信を行う。
【００２８】
アンテナ１０は、ＲＦ切替部２０を介して、１ｘシステムＲＦ部３０又はＤＯシステムＲＦ部４０の何れかからの高周波信号を電波に変換し基地局１００Ａ、１００Ｂに送信する。また、基地局１００Ａ、１００Ｂからの電波を受信して、ＲＦ切替部２０を介して、１ｘシステムＲＦ部３０又はＤＯシステムＲＦ部４０に高周波信号として送る。ＲＦ切替部２０は、システム制御部５０の制御によって、１ｘシステムＲＦ部３０又はＤＯシステムＲＦ部４０の何れかをアンテナ１０に接続する。
【００２９】
１ｘシステムＲＦ部３０は、１ｘシステムで送信するデータ又は音声信号を高周波信号に変換し、アンテナ１０に送る。また、アンテナ１０から送られた高周波信号をデータ信号又は音声信号に変換する。
【００３０】
ＤＯシステムＲＦ部４０は、ＤＯシステムで送信するデータを高周波信号に変換し、アンテナ１０に送る。また、アンテナ１０から送られた高周波信号をデータ信号に変換する。
【００３１】
システム制御部（切り替え制御部）５０は、無線通信端末２００の各部を統括して制御する制御部である。
【００３２】
無線通信端末２００は、基地局１００と所定の間隔で所定のメッセージの受信を行う。このメッセージは、１ｘシステムでは「ページメッセージ」と呼び、ＤＯシステムでは「オーバーヘッドメッセージ」と呼ぶ。なお、「オーバーヘッドメッセージ」とは「セクタパラメータ」、「クイックコンフィグ」、「シンクメッセージ」等のエリア情報及び基地局のシステム情報を示す。システム制御部５０は、このメッセージの受信によって、基地局１００からの着呼処理、基地局のハンドオフ処理等を行う。
【００３３】
システム制御部５０は、コンフィグレーション時間計測・統計処理部５１、ＰＣＣＣ変更判定部５２、ＰＣＣＣ変更処理部５３及びＲＦ切替タイミング調整部５４を備えている。
【００３４】
コンフィグレーション時間計測・統計処理部５１は、各々のシステムにおいて、無線通信端末２００と基地局１００とで行われるアイドルハンドオフ（コンフィグレーション）の回数及びアイドルハンドオフの処理に掛かった時間を計測し、一定期間（単位時間）内に発生したアイドルハンドオフの処理時間の平均値を統計処理（算出）する計測部・算出部として機能する。また、基地局１００とで通信を行う電波の通信品質（例えば、電界強度）を測定する通信品質測定部として機能する。
【００３５】
ＰＣＣＣ変更判定部５２は、「ＰＣＣＣ」（Prefered Control Channel Cycle）を変更するか否かを判定する。ＰＣＣＣとは、後述するようにＤＯシステムが待ち受け状態時において、オーバーヘッドメッセージを受信するタイミングを決めるものであり、基地局１００の管理する所定の間隔の基準時間（システム時間）からのオフセット値を設定する。
【００３６】
具体的には、一定期間（単位時間）内のアイドルハンドオフ発生回数に基づいて、ＰＣＣＣを変更するか否かを判定し、ＰＣＣＣを変更する場合は、統計処理した各システムの平均値に基づいてＰＣＣＣの値を変更する変更判定部として機能する。
【００３７】
ＰＣＣＣ変更処理部５８は、ＰＣＣＣの値を変更することでＤＯシステムにおけるメッセージ受信タイミングを変更する。ＰＣＣＣの変更は、無線通信端末２００と基地局１００とで行われるプロトコルネゴシエーションにより行われる。
【００３８】
なお、ＰＣＣＣ変更判定部５２、ＰＣＣＣ変更処理部５８がタイミング設定部として機能する。
【００３９】
次に、本発明の実施の形態の無線通信端末２００の動作を説明する。
【００４０】
本発明の実施の形態の無線通信端末２００は、１つのアンテナ１０を１ｘシステムとＤＯシステムとで共有し、通信を行う側がＲＦ切替部２０を切り替えてアンテナ１０を独占する。
【００４１】
１ｘシステム及びＤＯシステムが共に待ち受け状態（以下、「アイドル状態」と呼ぶ）の時は、１ｘシステム及びＤＯシステムそれぞれが、周期的にメッセージ（ページメッセージ及びオーバーヘッドメッセージ）を受信する。無線通信端末２００はこのメッセージによって着呼があるか否かを判定したり、ハンドオフを行うか否かを決定する。
【００４２】
各システムのメッセージの受信は、１ｘシステム及びＤＯシステムでお互いに干渉しないような間隔で行われる。無線通信端末２００は、各メッセージを受信するタイミングとなったときに、ＲＦ切替部２０を１ｘシステムのＲＦである１ｘシステムＲＦ部３０又はＤＯシステムのＲＦ部であるＤＯシステムＲＦ部４０に切り替える。この間隔は、基地局１００によって設定されている等間隔のシステム時間を基準に、所定のオフセット時間を設定することで決定される。なお、基地局１００のシステム時間は５．１２秒間隔に規定されている。１ｘシステム及びＤＯシステムそれぞれに異なるオフセット時間を設定することで、アイドル状態における両システムのメッセージ受信のタイミングの干渉を防ぐ。
【００４３】
ここで、アイドル状態における、１ｘシステム及びＤＯシステムの基地局１００からのメッセージ受信のタイミングについて説明する。
【００４４】
メッセージ受信のタイミングは、前述した基地局１００のシステム時間に基づいて設定される。このシステム時間は、５．１２秒間隔に規定されており、メッセージ受信のタイミングは、このシステム時間からのオフセット時間によって設定される。
【００４５】
１ｘシステムにおいて、このオフセット時間は、数式１を満たす値「ｔ」として算出される。算出される値「ｔ」は、２０ｍ秒間隔の値となる。この間隔を「フレーム」と呼ぶ。
【００４６】
【数１】
2006157546.tif 000003
【００４７】
値「Ｔ」は２の「ｉ」乗、すなわち「４」である。
【００４８】
なお、値「ｉ」は「Slot Cycle Index」と呼ばれるもので、システム毎に固定値が決まっており、本実施形態では「２」とする。
【００４９】
値「ＰＧＳＬＯＴ」は、無線通信端末２００に予め割り当てられている一意の番号である「ＩＭＳＩ」（International Mobile Subscriber Identity）からハッシュ関数によって算出したスロット番号である。無線通信端末２００毎の一意の値を計算式に用いることで、異なる無線通信端末２００ではメッセージ受信が異なるタイミングとなる。このＰＧＳＬＯＴは、８０ｍ秒間隔に規定されており、この間隔を「スロット」と呼ぶ。
【００５０】
数式１によって算出された値ｔによって１ｘシステムのメッセージ受信タイミングが決定する。システム時間は５．１２秒間隔であるため、１ｘシステムでは、これを８０ｍ秒で除算した６４個のスロットのうちの何れかのタイミングがメッセージ受信のタイミングとなる。この６４個のうち何れのスロットに割り当てられるかは、無線通信端末２００固有の値である「ＩＭＳＩ」から算出された「ＰＧＳＬＯＴ」の値によって一意に決まる。
【００５１】
一方、ＤＯシステムでは、オフセット時間は、数式２を満たす値として算出される。値「Ｒ」は前述した「ＰＣＣＣ」であり、「ＥＳＮ」からハッシュ関数によって算出される。このオフセット時間は、０〜１１の１２個の値をとる。なお、この０〜１１の１２段階の１つをＣＣＣ（Control Channel Cycle）と呼ぶ。ＣＣＣは、システム時間を１２分割したものであるので、４２６．６６６６…ｍ秒である。
【００５２】
【数２】
2006157546.tif 000004
【００５３】
値「Ｃ」は基地局が起動してからの経過時間を示す値であり、ＣＣＣ単位で示される。
【００５４】
値「ＮIDPSleep」は、「１２」の固定値である。
【００５５】
この数式２によって算出されたオフセット時間によってＤＯシステムのメッセージ受信タイミングが決定する。システム時間は５．１２秒間隔であるため、ＤＯシステムでは、これを１２分割したＣＣＣのうちの何れかのタイミングがメッセージ受信のタイミングとなる。この１２個のＣＣＣのうち何れに割り当てられるかは、無線通信端末２００固有の値である「ＥＳＮ」から算出された「ＰＣＣＣ」の値によって一意に決まる。
【００５６】
この数式１及び数式２に基づいて算出された１ｘシステム及びＤＯシステムのメッセージ受信のタイミングを図２に示す。
【００５７】
１ｘシステムでは、メッセージ受信タイミングを、ＰＧＳＬＯＴの値に基づいて、５．１２秒間隔のシステム時間を６４分割したスロットのうちのいずれかのタイミングに決定される。１ｘシステムのメッセージ受信は、システム時間から時間軸で正方向（プラス）にオフセットされたタイミングで行われる。
【００５８】
ＤＯシステムでは、メッセージ受信タイミングを、ＰＣＣＣの値に基づいて、５．１２秒間隔のシステム時間を１２分割したＣＣＣのいずれかのタイミングに決定される。ＤＯシステムのメッセージ受信は、システム時間から時間軸で負方向（マイナス）にオフセットされたタイミングで行われる。
【００５９】
ここで、前述したように、無線通信端末２００は、アイドル状態において基地局１００とアイドルハンドオフと呼ばれる動作を行い、基地局１００との通信パラメータの再設定を行う。そして、ＤＯシステムにおいてアイドルハンドオフが発生すると、パラメータの変更処理によって無線通信端末２００のアンテナ部１０は、ＤＯシステムＲＦ部３０に切り換えられ占有される。
【００６０】
図３は、アイドルハンドオフにおいて、無線通信端末２００と基地局１００とのネゴシエーションを示すシーケンス図である。
【００６１】
まず、アイドル状態から、無線通信端末２００と基地局１００とで通信を行うためにセッションを確立する。
【００６２】
次に、通信に必要なプロトコルの設定（コンフィグレーション）を行う。コンフィグレーションは、無線通信端末２００側から基地局１００に対してプロトコル毎のネゴシエーションを行う。各プロトコルについてコンフィグレーションが完了すると、無線通信端末２００は、コンフィグレーション完了（Configuration Complete）を送信する。
【００６３】
次に、基地局１００側から無線通信端末２００に対して、同様にプロトコル毎のネゴシエーションを行う。各プロトコルについてコンフィグレーションが完了すると、基地局１００は、コンフィグレーション完了（Configuration Complete）を送信する。
【００６４】
そして、無線通信端末２００側及び基地局１００側のプロトコルネゴシエーションが完了すると、確立されたコネクションを切断する。その後、アイドル状態（待ち受け状態）に復帰する。
【００６５】
図４は、１ｘシステム及びＤＯシステムのＲＦ部の動作を示す説明図である。
【００６６】
図４（ａ）は、１ｘシステム及びＤＯシステムがアイドル状態において、各システムが所定のタイミングでページメッセージ及びオーバーヘッドメッセージを基地局とから受信するためにＲＦ部（１ｘシステムＲＦ部３０又はＤＯシステムＲＦ部４０）を所定のタイミングで起動する様子を示す。
【００６７】
図４（ｂ）は、１ｘシステム及びＤＯシステムがアイドル状態において、ＤＯシステムにアイドルハンドオフが発生した場合の様子を示す。
【００６８】
アイドルハンドオフはメッセージ受信のタイミングで発生する。アイドルハンドオフの処理はメッセージの受信の処理よりも長い時間を要する。そのため、アイドルハンドオフの処理が完了する前に１ｘシステムにおいてメッセージ受信のタイミングとなる場合が発生し得る。その場合、１ｘシステムにおいてメッセージの受信ができない。
【００６９】
１ｘシステムでは、基地局１００から所定回数メッセージの受信が行われない場合は基地局１００の電波を受信できない状態になった（圏外になった）と判定する。１ｘシステムにおいて圏外となると、再び基地局１００からの電波を取得して接続するまでは１ｘシステムは待ち受け状態となれない。一方、ＤＯシステムが待ち受け状態となるためには１ｘシステムが待ち受け状態であることが前提であるため、ＤＯシステムではアイドルハンドオフ後に待ち受け状態に復帰できず、圏外と判定してしまう。したがって、何れのシステムにおいても圏外となってしまう。
【００７０】
このような状態が発生することを防ぐために、本発明では、１ｘシステム又はＤＯシステムにアイドルハンドオフが頻繁に発生した場合は、オーバーヘッドメッセージ受信のタイミングを変更することで、１ｘシステム及びＤＯシステムが共に圏外となることを防ぐ。オーバーヘッドメッセージ受信のタイミングの変更方法にはいくつかの手法が考えられるが、本発明では、１ｘシステム及びＤＯシステムにおける基地局１００との電界強度に基づいて、ＰＣＣＣの値を変更するように構成した。
【００７１】
図５は、本発明の実施の形態の無線通信端末２００において、ＤＯシステムのメッセージ受信タイミングを決定する「ＰＣＣＣ」の値を決定するために用いる表である。
【００７２】
無線通信端末２００のシステム制御部は、１ｘシステム及びＤＯシステムそれぞれについて、基地局１００との通信品質を測定する。通信品質には電界強度を用い、ＲＳＳＩ（Received Signal Strength Indicator）の値から取得する。そして、取得した電界強度の値が予め設定した閾値よりも強いか弱いか、すなわち、通信品質が所定の値よりも良いか悪いか、を判定する。
【００７３】
１ｘシステム及びＤＯシステムの電界強度が共に強い場合、又は共に弱い場合は、「タイムフィードバック方式」でＰＣＣＣの値を変更する。このタイムフィードバック方式については後述する。
【００７４】
１ｘシステムの電界強度が弱く、ＤＯシステムの電界強度が強い場合は、「１ｘ優先方式」でＰＣＣＣの値を変更する。この１ｘ方式については後述する。
【００７５】
１ｘシステムの電界強度が強く、ＤＯシステムの電界強度が弱い場合は、「ＤＯ優先方式」でＰＣＣＣの値を変更する。このＤＯ方式については後述する。
【００７６】
まず、「タイムフィードバック方式」の処理について説明する。なお、この処理はシステム制御部５０が行なう。
【００７７】
タイムフィードバック方式は、１ｘシステム及びＤＯシステムの電界強度が共に強い場合、又は共に弱い場合に処理を行う。この場合、両システムのアイドルハンドオフが発生する頻度は、ほぼ同程度であるため、両システムにおいて一定期間内に実際に発生したアイドルハンドオフの処理時間に基づいて、ＰＣＣＣの値を動的に決定する。
【００７８】
まず、１ｘシステム及びＤＯシステムそれぞれについて、一定期間内に発生したアイドルハンドオフの実行に掛かった時間を集計し、一定期間内に発生したアイドルハンドオフ時間の平均時間を算出する。この一定期間は任意の時間でよく、例えば２〜３分単位とする。すなわち、２〜３分間隔で以下の処理を実行する。
【００７９】
１ｘシステムにおいて一定期間内に発生したアイドルハンドオフの平均時間を「Ｔ1x」とし、ＤＯシステムにおいて一定期間内に発生したアイドルハンドオフの平均時間を「ＴDO」とする。この演算は、システム制御部５０のコンフィグレーション時間計測・統計処理部５１において行われる。
【００８０】
そして、１ｘシステムのシステム時間からのオフセット値を決定する値であるＰＧＳＬＯＴ値は、ＤＯシステムの演算に用いるためにＣＣＣ単位に変換される。つまり、１ｘシステムではメッセージ受信タイミングの設定がスロット単位（８０ｍｓ単位）で行われ、ＤＯシステムはメッセージ受信タイミングの設定がＣＣＣ単位（４２６．６６６…ｍｓ単位）で行われる。そこで、１ｘシステムのスロット単位をＤＯシステムのＣＣＣ単位に変換する。この変換は数式３によって算出される。数式３によって、１ｘシステムのメッセージ受信タイミングを決定する値である「ＰＧＳＬＯＴ」をＣＣＣ単位に変換した値である「ＴPGSLOT」値を算出する。
【００８１】
【数３】
2006157546.tif 000005
【００８２】
次に、算出した「Ｔ1x」、「ＴDO」及び「ＴPGSLOT」の各値を用いて、数式４によって「ＰＣＣＣ」の値（ＴPCCC）を算出する。
【００８３】
【数４】
2006157546.tif 000006
【００８４】
数式４では、「Ｔ1x」及び「ＴDO」の値によって３つに場合分けをする。
【００８５】
まず、「Ｔ1x」と「ＴDO」の比率を求める。すなわち、１ｘシステムにおいて一定期間内に発生したアイドルハンドオフの平均時間「Ｔ1x」を、１ｘシステムにおいて一定期間内に発生したアイドルハンドオフの平均時間「Ｔ1x」とＤＯシステムにおいて一定期間内に発生したアイドルハンドオフの平均時間「ＴDO」との和で除算した値、すなわち、１ｘシステム及びＤＯシステムのアイドルハンドオフの時間の平均時間の割合を算出する。この割合を「Ｔ1x比率」とする。
【００８６】
この「Ｔ1x比率」と、システム時間のＣＣＣ単位である「１２」との積が（１）「３」より大きく、「９」よりも小さい、（２）「３」よりも小さい、（３）「９」よりも大きい、の３つの場合に分ける。このうち、（２）及び（３）は、ＤＯシステムのメッセージ受信タイミングが１ｘシステムに重ならないように設けた閾値（上限値と下限値）である。
【００８７】
（２）の場合は、「Ｔ1x比率」が小さい、すなわち、一定期間（単位時間）内に発生したアイドルハンドオフは、１ｘシステムと比較してＤＯシステムが極めて多い場合（平均時間が長い）である。この場合は、アイドルオフがより多く発生するＤＯシステムのメッセージ受信タイミングが１ｘシステムに干渉しないように、ＤＯシステムのシステム時間（System time）からのオフセット（ＰＣＣＣ）を長く設定する。これにより、１ｘシステムの受信が終了してからＤＯシステムの受信動作を前回の受信動作よりも遅く行うようにしたので、以降アイドルハンドオフによりＤＯシステムの受信動作が長引いても、次の１ｘシステムの受信動作開始に影響を及ぼす可能性が低くなる（図５参照）。
【００８８】
（３）の場合は、Ｔ1x比率が大きい、すなわち、一定期間（単位時間）内に発生したアイドルハンドオフは、１ｘシステムと比較してＤＯシステムが極めて少ない場合（平均時間が短い）である。この場合は、アイドルオフがより多く発生する１ｘシステムのメッセージ受信タイミングがＤＯシステムに干渉しないように、ＤＯシステムのシステム時間（System time）からのオフセット（ＰＣＣＣ）を短く設定する。これにより、１ｘシステムの受信が終了してからＤＯシステムの受信動作を前回の受信動作よりも遅く行うようにしたので、以降アイドルハンドオフにより１ｘシステムの受信動作が長引いても、次のＤＯシステムの受信動作開始に影響を及ぼす可能性が低くなる（図６参照）。
【００８９】
（１）の場合は、「Ｔ1x比率」の値に基づいて、ＤＯシステムのシステム時間（System time）からのオフセット（ＰＣＣＣ）を長く又は短く設定する。
【００９０】
図６及び図７は、この数式４に基づいてＤＯシステムのメッセージ受信タイミングの変更を示した説明図である。
【００９１】
図６は、ＤＯシステムのアイドルハンドオフが１ｘシステムよりも多く発生している場合である。
【００９２】
図６（ａ）は、ＤＯシステムにおいてアイドルハンドオフが多く発生し、メッセージ受信の処理時間が多くなっている場合を示す。この場合は、数式４に基づいて、図６（ｂ）のようにＤＯシステムのメッセージ受信タイミングを変更する。
【００９３】
その結果、ＤＯシステムのメッセージ受信タイミング、つまりＤＯシステムのシステム時間（System time）からのオフセット（ＰＣＣＣ）を変更前と比較して長く設定する。こうすることによって、ＤＯシステムのメッセージ受信の処理時間がアイドルハンドオフによって延びたとしても、ＤＯシステムのメッセージ受信と１ｘシステムのメッセージ受信とのタイミングの干渉が起きにくくなる。
【００９４】
図７は、１ｘシステムのアイドルハンドオフがＤＯシステムよりも多く発生している場合である。
【００９５】
図７（ａ）は、１ｘシステムにおいてアイドルハンドオフが多く発生し、メッセージ受信の処理時間が多くなっている場合を示す。この場合は、数式４に基づいて、図７（ｂ）のようにＤＯシステムのメッセージ受信タイミングを変更する。
【００９６】
その結果、ＤＯシステムのメッセージ受信タイミング、つまりＤＯシステムのシステム時間（System time）からのオフセット（ＰＣＣＣ）を変更前と比較して短く設定する。こうすることによって、１ｘシステムのメッセージ受信の処理時間がアイドルハンドオフによって延びたとしても、ＤＯシステムのメッセージ受信と１ｘシステムのメッセージ受信とのタイミングの干渉が起きにくくなる。
【００９７】
次に、１ｘ優先方式の処理について説明する。なお、この処理はシステム制御部５０が行う。
【００９８】
１ｘシステムの電界強度が弱く、ＤＯシステムの電界強度が強い場合は、１ｘシステムの方がＤＯシステムよりもアイドルハンドオフが発生する頻度が高くなる。そのため、１ｘシステムのメッセージ受信の処理時間が多くなると予想されるので、ＤＯシステムのメッセージ受信タイミングは、処理時間の多くなると予想される１ｘシステムに干渉しないように、数式５のように設定する。
【００９９】
【数５】
2006157546.tif 000007
【０１００】
数式５は、数式４の（３）の場合と同じである。すなわち、図７（ａ）に示すように、１ｘシステムにおいてアイドルハンドオフが多く発生し、メッセージ受信の処理時間が多くなった場合は、この数式５に基づいて、図７（ｂ）のようにＤＯシステムのメッセージ受信タイミングを変更する。
【０１０１】
その結果、ＤＯシステムのメッセージ受信タイミング、つまりＤＯシステムのシステム時間（System time）からのオフセット（ＰＣＣＣ）を変更前と比較して長く設定する。こうすることによって、ＤＯシステムのメッセージ受信の処理時間がアイドルハンドオフによって延びたとしても、ＤＯシステムのメッセージ受信と１ｘシステムのメッセージ受信とのタイミングの干渉が起きにくくなる。
【０１０２】
次に、ＤＯ優先方式の処理について説明する。なお、この処理はシステム制御部５０が行う。
【０１０３】
１ｘシステムの電界強度が強く、ＤＯシステムの電界強度が弱い場合は、ＤＯシステムの方が１ｘシステムよりもアイドルハンドオフが発生する頻度が高くなる。そのため、ＤＯシステムのメッセージ受信の処理時間が多くなると予想されるので、ＤＯシステムの受信タイミングは１ｘシステムに干渉しないように、数式６のように設定する。
【０１０４】
【数６】
2006157546.tif 000008
【０１０５】
数式５は、数式４の（２）の場合と同じである。すなわち、図６（ａ）に示すように、ＤＯシステムにおいてアイドルハンドオフが多く発生し、メッセージ受信の処理時間が多くなると予想される場合は、この数式６に基づいて、図６（ｂ）のようにＤＯシステムのメッセージ受信タイミングを変更する。
【０１０６】
その結果、ＤＯシステムのメッセージ受信タイミング、つまりＤＯシステムのシステム時間（System time）からのオフセット（ＰＣＣＣ）を変更前と比較して短く設定する。こうすることによって、１ｘシステムのメッセージ受信の処理時間がアイドルハンドオフによって延びたとしても、ＤＯシステムのメッセージ受信と１ｘシステムのメッセージ受信とのタイミングの干渉が起きにくくなる。
【０１０７】
以上のように構成された本発明の実施の形態の無線通信システムでは、アイドル状態において、１ｘシステム及びＤＯシステムの通信品質を測定し、各々のシステムの通信品質の強弱に基づいて、ＤＯシステムのメッセージ受信のタイミングを、１ｘシステムのメッセージ受信タイミングと干渉しないように変更する。ＤＯシステムのメッセージ受信タイミングを変更することによって、相互の受信が正常に行われるので着呼率が向上すると共に、データ通信のスループットを高めることができる。
【０１０８】
また、本発明の実施の形態ではｃｄｍａ２０００  １ｘシステムと１ｘＥＶＤＯシステムのハイブリッド方式について説明したが、これに限定されるものではなく、共通のアンテナを用いて２つの通信方式で通信可能であって、これらの通信方式を切換えて一方の通信方式にて通信を行い、これを他方の通信方式に切り替えて通信を行うものであれば、通信方式の種類は問わない。
【０１０９】
なお、本発明の実施の形態ではパイロット信号強度（ＲＳＳＩ値）を基地局１００との電波状態の判定に用いたが、これをパイロット信号の搬送波対干渉波比（Ｃ／Ｉ値）を用いてもよい。
【０１１０】
また、本発明は、単位時間当たりの各システムのアイドルハンドオフ発生回数に基づいて（所定回数以上か否か）、ＤＯシステムのオーバーヘッドメッセージを受信するための待受タイミングを変更するか否かを判定する。そして、ＤＯシステムの待受タイミングを変更すると判定した場合は、各システムの単位時間当たりのアイドルハンドオフの平均値に基づいてＤＯシステムの待受タイミングを設定する。なお、単位時間当たりのＤＯシステムのアイドルハンドオフの平均値が長い場合は、１ｘシステムの待受タイミングとＤＯシステムの待受タイミングを近づけ、単位時間当たりの１ｘシステムのアイドルハンドオフの平均値が長い場合は、１ｘシステムの待受タイミングとＤＯシステムの待受タイミングを離すように設定するものであれば実施例に限定するものではない。
【図面の簡単な説明】
【０１１１】
【図１】本発明の実施の形態の無線通信端末の構成を表すブロック図である。
【図２】本発明の実施の形態の無線通信端末の１ｘシステム及びＤＯシステムのメッセージ受信のタイミングを示す説明図である。
【図３】本発明の実施の形態の無線通信端末のネゴシエーションを示すシーケンス図である。
【図４】本発明の実施の形態の無線通信端末の１ｘシステム及びＤＯシステムのＲＦ部の動作を示す説明図である。
【図５】本発明の実施の形態の無線通信端末の「ＰＣＣＣ」の値を決定するために用いる表である。
【図６】本発明の実施の形態の無線通信端末のアイドルハンドオフのメッセージ受信タイミングの変更を示す説明図である。
【図７】本発明の実施の形態の無線通信端末のアイドルハンドオフのメッセージ受信タイミングの変更を示す説明図である。
【符号の説明】
【０１１２】
１０      アンテナ
２０      ＲＦ切替部
３０      １ｘシステムＲＦ部
４０      ＤＯシステムＲＦ部
６０      システム制御部
１００Ａ、１００Ｂ      基地局
２００      無線通信端末
【図１】
2006157546.tif 000009
【図２】
2006157546.tif 000010
【図３】
2006157546.tif 000011
【図４】
2006157546.tif 000012
【図５】
2006157546.tif 000013
【図６】
2006157546.tif 000014
【図７】
2006157546.tif 000015